(57)【要約】      （修正有）【課題】水に水酸化カルシウムを溶解・反応する時に高熱、有毒ガスを発生することがなく、生成部はカセットごと交換でき、簡単に短時間で正常な生成に復帰できるアルカリ性水溶液の生成器を提供する。【解決手段】本体２と水酸化カルシウム粉Ｃを収納するカセット部３とＰＨ調整部４とからなるアルカリ性水溶液生成器１でＰＨ調整部４には導入する通水路２５を設け、カセット部は本体に対して着脱自在で、内部は通水孔を有する複数の載置板５も着脱自在に複数段設け、載置板には通水性の袋部６に詰めた水酸化カルシウム粉を載置するとともに、カセット部の底部にも通水孔５５を有し、導入された水は底部から上方に水酸化カルシウム粉に接触しつつ、カセット部の上部にはＰＨ調整部に導く通水路を設け、ＰＨ調整部は生成されたアルカリ性水溶液に新たに水を加えることで所定のＰＨに調整して供給するアルカリ性水溶液生成器。【選択図】図１
2015157240.tif 000002
【特許請求の範囲】
【請求項１】
本体と水酸化カルシウム粉を収納するカセット部とＰＨ調整部とからなるアルカリ性水溶液生成器であって、
前記本体は水を導入する内壁部を設けて内部に前記カセット部を収納するとともに、前記ＰＨ調整部を設けて該カセット部で生成されたアルカリ性水溶液をＰＨ調整部に導入する通水路を設け、
前記カセット部は前記本体に対して着脱自在で、該カセット部の内部は複数の通水孔を有する載置板を数段に設け、
該載置板には通水性の袋部に詰めた水酸化カルシウム粉を載置するとともに、該カセット部の底部にも複数の通水孔を有し、導入された水は該底部から上方に水酸化カルシウム粉に接触しつつアルカリ性水溶液を生成し、
該カセット部の上部には前記ＰＨ調整部に導く通水路を設け、
前記ＰＨ調整部は生成されたアルカリ性水溶液に新たに水を加えることで所定のＰＨに調整したアルカリ性水溶液を供給することを特徴とするアルカリ性水溶液生成器。 
【請求項２】
前記カセット部は、前記本体の蓋部と外ケースの底部とで上下から挟持するようにして着脱自在としたことを特徴とする請求項１に記載のアルカリ性水溶液生成器。
【請求項３】
前記載置板の通水孔は垂直方向に斜行して設け、上昇する水を乱流にし前記袋部内の水酸化カルシウム粉を攪拌して接触させるようにしたことを特徴とする請求項１又は２に記載のアルカリ性水溶液生成器。
【請求項４】
前記載置板の底面に押え板を設けてその間にフィルターを設けたことを特徴とする請求項１から３の記載から選択されるアルカリ性水溶液生成器。
【請求項５】
前記カセット部の最上部の載置板にはフィルターだけを設け、水酸化カルシウム粉を存在しないようにしたことを特徴とする請求項４に記載のアルカリ性水溶液生成器。
【請求項６】
前記載置板は、カセット内部において着脱自在にしたことを特徴とする請求項１から５の記載から選択されるアルカリ性水溶液生成器。
【請求項７】
前記ＰＨ調整部は、アルカリ性水溶液調整栓と上水調整栓及びＰＨメータとを設け、ＰＨメータの検出値を参照して前記両調整栓を調整して所定のＰＨに調整して供給することを特徴とする請求項１から６の記載から選択されるアルカリ性水溶液生成器。 
【請求項８】
前記ＰＨ調整部は、ＰＨメータの検出値によってアルカリ性水溶液調整栓と上水調整栓とを自動的に所定のＰＨの値に調整して供給することを特徴とする請求項１から７に記載から選択されるアルカリ性水溶液生成器。
【発明の詳細な説明】
【技術分野】
【０００１】
本発明は、抗菌力・消臭力・洗浄力を有するアルカリ性水溶液生成器の技術分野に属するものである。
【背景技術】
【０００２】
従来、アルカリ性水（水素イオン濃度：ＰＨ11以上）が抗菌力・消臭力・洗浄力を保有することが知られているが、このアルカリ性水を製造する方法には 一般的に電気分解方式や化学反応による方法があり、大量に生産し使用する場合は電気分解方式が一般的であるが、近時、電気分解方式を用いずに、極めて安全な貝殻を焼成して得られる消石灰(貝殻石灰)等を水に溶解して得られ、すなわち、カルシウムイオンと水酸基イオンのイオン結合体である水酸化カルシウムを水に溶解してアルカリ性(飽和)水溶液（ＰＨ１２.５）を生成する。
従来より生成されたアルカリ性(飽和)水溶液は、抗菌能力・消臭能力・洗浄能力を複合した機能をもつ水であり、農水産業・工業・サービス業・学校・病院・福祉施設・一般家庭等々に広く活用されている。
【先行技術文献】
【特許文献】
【０００３】
【特許文献１】特許第５２９５８６３号掲載公報
【特許文献２】特開２００２−３３８４１６号公報
【発明の開示】
【発明が解決しようとする課題】
【０００４】
しかしながら、前掲の先行技術の特許文献１に開示されているアルカリ性水溶液の生成は、１枚の通水板で上下二つに仕切られた容器の上室に、粒状の酸化カルシウムおよび水酸化カルシウムを入れ下室底面壁部にある水導入口より水を入れ、仕切り通水板に開いた通水孔の径より小さい小粒子状の当該化合物が最初に水と反応し、アルカリ性カルシウム水溶液を生成させる方法である。主たる原材料の酸化カルシウム(CaO)は、水(H20)と反応する際に、下記の反応式で生成され極めて高熱を発生する。
CaO十H2０→Ca(OH)2
この酸化カルシウムCaOを用いる反応は、高い熱を発するとともに、溶液は膨張し、この高熱で発火はしないが可燃物を燃焼させる危険があり、人体と触れると炎症が生じたり呼吸困難になる場合があり、取り扱いが容易でないといった問題点がある。
【０００５】
また、下記の反応式に示すように、酸化カルシウムは空気中で二酸化炭素と逆反応し炭酸カルシウムに戻る逆反応を起こすので材料の管理も重要であり、逆反応したものが混入すると生成反応が不十分となるといった不都合もあり、酸化カルシウムCaOを使用すには問題があった。
CaO＋CO2→CaCO3
また、原材料の粒子自体がアルカリ性水溶液に混入して取出口から供給されてしまうといった不都合があり、更に、先行技術のアルカリ性水溶液の生成器は、通水板が容器に固着されていて、原材料の交換や容器内の清掃やメンテナンスが容易でないといった不都合があった。
【０００６】
本発明が解決しようとする課題は、原材料として、人体への影響は極めて少ない水酸化カルシウムのみの粉体を使用し、アルカリ性水生成の際、水に溶解・反応する時に高熱を発したり有毒ガスを発生することがないアルカリ性水溶液の生成器を提供するものである。
また、アルカリ性水溶液の生成器は、メンテナンスや原材料の交換が容易であるカセットとして、交換時はカセットごと交換でき、短時間で正常な生成に復帰できるようなアルカリ性水溶液の生成器を提供するものである。
【課題を解決するための手段】
【０００７】
上記の課題を解決するため、請求項１の発明は、本体と水酸化カルシウム粉を収納するカセット部とＰＨ調整部とからなるアルカリ性水溶液生成器であって、前記本体は水を導入する内壁部を設けて内部に前記カセット部を収納するとともに、前記ＰＨ調整部を設けて該カセット部で生成されたアルカリ性水溶液をＰＨ調整部に導入する通水路を設け、前記カセット部は前記本体に対して着脱自在で、該カセット部の内部は複数の通水孔を有する載置板を複数段に設け、該載置板には通水性の袋部に詰めた水酸化カルシウム粉を載置するとともに、該カセット部の底部にも複数の通水孔を有し、導入された水は該底部から上方に水酸化カルシウム粉に接触しつつアルカリ性水溶液を生成し、該カセット部の上部には前記ＰＨ調整部に導く通水路を設け、前記ＰＨ調整部は生成されたアルカリ性水溶液に新たに水を加えることで所定のＰＨに調整したアルカリ性水溶液を供給することを特徴とするアルカリ性水溶液生成器である。 
【０００８】
請求項２の発明は、請求項１に記載のアルカリ性水溶液生成器において、前記カセット部は、前記本体の蓋部と外ケースの底部とで上下から挟持するようにして着脱自在としたことを特徴とする。
請求項３の発明は、請求項１又は２に記載のアルカリ性水溶液生成器において、前記載置板の通水孔は垂直方向に斜行して設け、上昇する水を乱流にし前記袋部内の水酸化カルシウム粉を攪拌して接触させるようにしたことを特徴とする請求項１又は２に記載のアルカリ性水溶液生成器。
請求項４の発明は、請求項１から３の記載から選択されるアルカリ性水溶液生成器において、前記載置板の底面に押え板を設けてその間にフィルターを設けたことを特徴とする。
請求項５の発明は、請求項４に記載のアルカリ性水溶液生成器において、前記カセット部の最上部の載置板にはフィルターだけを設け、水酸化カルシウム粉を存在しないようにしたことを特徴とする。
請求項６の発明は、請求項１から５の記載から選択されるアルカリ性水溶液生成器において、前記載置板は、カセット内部において着脱自在にしたことを特徴とする。
請求項７の発明は、請求項１から６の記載から選択されるアルカリ性水溶液生成器において、前記ＰＨ調整部は、アルカリ性水溶液調整栓と上水調整栓及びＰＨメータとを設け、ＰＨメータの検出値を参照して前記両調整栓を調整して所定のＰＨに調整して供給することを特徴とする。
請求項８の発明は、請求項１から７の記載から選択されるアルカリ性水溶液生成器において、前記ＰＨ調整部は、ＰＨメータの検出値によってアルカリ性水溶液調整栓と上水調整栓とを自動的に所定のＰＨの値に調整して供給することを特徴とする。
【発明の効果】
【０００９】
以上説明したように、請求項１の発明によれば、原料として、水酸化カルシウム粉Ｃのみを使用するので、取り扱いの安全性が高く、直接触れたり飛散せず周囲の空気環境を汚すことはなく、原料の水酸化カルシウムは 食品添加物として承認されており、人体への影響は極めて少なく、アルカリ性水溶液生成の際、水に溶解・反応する時に高熱を発したり有毒ガスを発生することもない。
また、水酸化カルシウム粉を収納するカセット部は前記本体に対して着脱自在で、本体や外ケース内の清掃やメンテナンスが容易となり、交換時はカセットごと交換でき、短時間で正常な生成に復帰できる。また、カセット部を取り換えることで、アルカリ性水溶液を継続的に生成することが出来る。
また、載置板も複数段にしたので、複数のアルカリ性水生成室が、水の流れの上昇方向に複数室あるので、袋部に詰めた水酸化カルシウム粉が充分に水に接触するため水酸化カルシウム飽和水溶液が生成しやすい。
さらに、ＰＨ調整部が生成されたアルカリ性水溶液に新たに水を加えることで所定のＰＨに調整できるので、必要に応じた水酸化カルシウム水溶液を得ることができる。
【００１０】
請求項２の発明によれば、請求項１に記載のアルカリ性水溶液生成器において、カセット部は、本体の蓋部と外ケースの底部とで上下から挟持するようにして着脱自在としたので、極めて簡単に取り替えることができる。
請求項３の発明によれば、載置板の通水孔は垂直方向に斜行して設けたことにより、上昇する水を乱流にし前記袋内の水酸化カルシウム粉を攪拌して接触させるようにしたので、水酸化カルシウム(飽和)水溶液が生成しやすくすることができる。
請求項４の発明によれば、載置板の底面に押え板を設けてその間にフィルターを設けたので、アルカリ性水溶液内に原材料の粒子自体が混入することがない。
請求項５の発明によれば、カセット部の上部にフィルターだけを設けたので、原材料の粒子自体がアルカリ性水溶液に混入して取出口から供給されてしまうことがない。
請求項６の発明によれば、カセット部の内部の水酸化カルシウム粉Ｃを詰めた袋部及びフィルターを取り替えることができ、カセット部をリサイクルすることができる。
請求項７の発明によれば、ＰＨ調整部としてアルカリ性水溶液調整栓と上水調整栓及びＰＨメータとを設けているので、ＰＨメータを参照して前記両調整栓を調整して所定のＰＨに調整して供給することができる。
請求項８の発明によれば、ＰＨ調整を自動的に所定の値に調整して供給することができる。
【図面の簡単な説明】
【００１１】
【図１】本発明の実施例のアルカリ性水溶液生成器の全体の断面図、
【図２】図２(ａ)は図１のＡ−Ａ線での断面図、図２(ｂ)は図２(ａ)のＢ−Ｂ線の主要部の断面図である。
【発明を実施するための形態】
【００１２】
ここで、本発明に好適な実施例を図面に沿って説明する。
図１に、アルカリ水溶液生成器１の全体の断面図であるが、主に、本体２と水酸化カルシウム粉を収納するカセット部３とＰＨ調整部４とから構成されている。
［本体２］
図１に示すように、本体２は上水等の水Ａを導入する有底で筒状の外ケース２１が取り付けられている。この外ケース２１は内側底部２２と内周壁部２３を設けて内部にカセット部３を収納するとともに、本体２の上部に外ケース２１の蓋部２４の外周部２４２にＰＨ調整部４を設け、蓋部２４にはカセット部３で生成されたアルカリ性水溶液ＢをＰＨ調整部４に導入する通水路２５が設けられている。
外ケース２１は本体２の本体蓋部２４に対して雌ネジ部２１１と本体蓋部２４側の雄ネジ部２４１によって着脱自在に嵌合し、カセット部３の開口部３４２が本体蓋部２４の通水路２５に連通するようになっており、カセット部３は、本体蓋部２４と外ケース２１の内側底部２２とで上下から挟持するようにして、カセット部２の全体が簡単に着脱自在な構成になっている。
【００１３】
［カセット部３］
カセット部３は底部３２を有する筒状部３３を有し、筒状部３３の内周壁部３３１には複数段の係止部３３２・３３３・３３４が設けられ、この係止部３３２に複数の通水孔５５を有する載置板５が着脱自在に嵌められており、本実施例では係止部３３２は垂直方向に３段設けられ、それぞれ載置板５が嵌合されている。載置板５上には通水性の袋部６に詰めた水酸化カルシウム粉Ｃのパックを載置する。
ここで重要なのは、アルカリ性水溶液の原料としては、水酸化カルシウム粉Ｃのみを使用することである。すなわち、酸化カルシウム(CaO)等を使用すると、前述したように、アルカリ性水溶液の生成の際に、極めて高熱を発生し、溶液が膨張したり、可燃物を燃焼させる危険があり、人体と触れると炎症が生じたり呼吸困難になる場合があるので、酸化カルシウム(CaO)等を排除して水酸化カルシウム粉Ｃのみを使用し、かつ、この粉末が拡散しないように袋詰めにすることが極めて重要である。
【００１４】
カセット部３の底部３２にも複数の通水孔３２１が設けられ、本体２の内周壁部２３内に導入された水Ａはこの底部３２の通水孔３２１を通って上昇するが、各載置板５に載置された袋部６内の水酸化カルシウム粉Ｃに接触しつつ上昇する。
本実施例では水酸化カルシウム粉Ｃを詰めた袋部６を載置する載置板５（５１,５２,５３）は３段で、その上部空間はアルカリ性水溶液Ｂの生成室を形成しており、図１で下から生成室Ｘ、生成室Ｙ、生成室Ｚと配列しており、最上位の載置板５４の底部にはフィルター８４が設けられているが、載置板５４の上部には袋部６は無く、生成室も形成されていない。
このように、多段の水酸化カルシウムの生成室が形成されるので、アルカリ性(飽和)水溶液の生成が容易に可能となる。
【００１５】
カセット部３の上部にはカセット蓋部３４の雄ネジ部３４１が筒状部３３の雌ネジ部３３５に防水Ｏリング３５を介して液密に嵌合され、本体蓋部２４に設けられＰＨ調整部４に導く通水路２５に連通している。
カセット部３に設けられた載置板５（５２,５３,５４）に対応して、その下に通水孔７５を設けた押え板７(７２,７３,７４)を設けられいるが、この載置板５と押え板７との間にはフィルター８(８２,８３,８４)が配置されている。この押え板７も載置板５と同様に、係止部３３４に着脱自在に嵌められている。なお、カセット部３の最上部の載置板５４にはフィルター８だけを設けているが、これは、載置板５４に、袋部６内を載せると、水酸化カルシウム粉Ｃがアルカリ性水溶液Ｃに混入するおそれがあるからである。
なお、最下位の載置板５１のフィルター８１は、通水孔３２１のある底部３２が押さえる機能を有しているので、押え板７は無い。この通水孔３２１も図では垂直方向に開口されているが、載置板５の通水孔５５と同様に孔軸を垂直方向に角度を有するようにしてもよい。
【００１６】
この載置板５と押え板７と係止部３３２,３３３,３３４の構成を図２を参照して説明する。
図２(ａ)に示すように、載置板５の外周の一部に切欠部５６が設けられ、内周壁部３３１の一部に前記切欠部５６を通過する形状の凸状の係止部３３２が設けられ、載置板５を嵌合するには、切欠部５６で係止部３３２を通過させて下に移動してから、回動させてその下の係止部３３３に係止させる。押え板７の場合は、係止部３３３を回動して切欠部(図示せず。但し切欠部５６と同型である）で通過して、回動して係止部３３４に載置する。
フィルター８をセットするには、先ず、押え板７を係止部３３２,３３３を通過させてから係止部３３４の上面と係止部３３３の下面の空間に載置、或いは、挟んで係止して、この係止した押え板７の上にフィルター８を配置し、その上に載置板５を係止部３３２を通過させてから回動して係止部３３２の下面と係止部３３３の上面で挟んで係止し、フィルター８をセットする。また、載置板５の上には適宜の水酸化カルシウム粉Ｃの詰まった袋部６を載置する。
ところで、図２(ｂ)に示すように、載置板５と押え板７には通水孔５５が設けられているが、これらの通水孔５５,７５は垂直方向に斜行して設け、上昇する水を乱流にし袋部６内の水酸化カルシウム粉Ｃの攪拌し接触させるようにしている。
なお、載置板５と押え板７の係止機構は、本実施例で開示した係止機構以外の他の公知の機構を用いてもよい。このような構成であるので、カセット部３の内部の水酸化カルシウム粉Ｃを詰めた袋部６及びフィルター８を取り替えることができ、カセット部３をリサイクルすることができる。もっとも、係止機構を固定としてカセット部５は簡単に着脱自在なので、使い捨てタイプとしても良い。
【００１７】
［本体蓋部２４］
次に、本体２の本体蓋部２４について説明するが、前述したように、外ケース２１は本体２の本体蓋部２４に対して雌ネジ部２１１と本体蓋部２４側の雄ネジ部２４１によって着脱自在に嵌合しているが、本体蓋部２４の一端部側には一対の水道水等の上水である水の導入口２８１,２８２が設けられ、導入口２８１,２８２には、それぞれ接続部材２８を介して、ホース２８５に接続され水道水等が供給されている。他端部側には、水道水等の水を導入口２８１から導入した水をそのまま排出する排出口２８３が設けられ、更に、アルカリ性水溶液Ｂ３の排出する排出口２８４が設けられている。
そして、水の導入口２８２から導入された水は、外ケース２１の内周壁部２３とカセット部３の外周壁部３３６の間の通水回廊Ｄを通過し、底部３２の通水孔３２１からカセット部３の内部に導入され、カセット部３内のアルカリ性水溶液生成室Ｘ、Ｙ、Ｚを通過し、カセット蓋部３４の開口部３４２の本体蓋部２４の通水路２５に連通し、本体蓋部２４の通水路２５から排出口２８４に連通している。
なお、導入口２８２の本体蓋部２４にはリング状の通水路２５が形成され、満遍なく導入口２８２からの水が通水空間Ｄを導入されるようになっている。
【００１８】
ここで、カセット部３を本体２への装着方法を説明するが、カセット部３を外ケース２１に収納し、上からに本体蓋部２４で押さえるように挟持するもので、これを具体的に説明する。
カセット部３の底部３２に設けた隙間形成嵌合輪３７の先端部３７１を外ケース２１の内側底部２２の嵌合輪状溝２７に嵌合させ、カセット部３の上部のカセット蓋部３４の上面の輪状凹部３４３に、本体蓋部２４の底面に設けた輪状凸部２６が防水Ｏリング３４４を介して嵌合させ、本体蓋部２４をネジ締めすることにより、カセット部３を挟持して取り付けを完了し、逆に、カセット部３を外すには本体蓋部２４を外せば自然とカセット部３が簡単に外せる。このように、本発明の特徴の１つは、カセット部３全体を本体２から簡単に着脱可能であることである。このように、導入口２８２より注水された水がカセット部３の内部に侵入することがなく、生成されたアルカリ性水溶液水Ｂが希釈されることがない。
【００１９】
［ＰＨ調整部４］
次に、ＰＨ調整部４を説明するが、このＰＨ調整部４は本体蓋部２４の排出口２８３,２８４に接続部材２８を介して接続される。
ＰＨ調整部４は生成されたアルカリ性水溶液に別途の水道水等の水Ａを新たに加えることで所定のＰＨに調整して供給するもので、排出口２８３に接続する水供給通路４１と排出口２８４に接続するアルカリ性水溶液の供給通路４２が設けられ、水供給通路４１には調整栓４４が、アルカリ性水溶液の供給通路４２には調整栓４３がそれぞれ設けられ、その下流に両供給通路４１,４２が合流する合流通路４５が設けられ、この合流通路４５にはＰＨメータ４６が設けられ、使用者はＰＨメータ４６の検出を参照して、両調整栓４３,４４を調整して所定のＰＨに調整して、アルカリ性水溶液Ｂ４が排出口４７から接続部材２８を介してホース２８６から所望の抗菌能力・消臭能力・洗浄能力を必要とする農産物や工業部品、サービス業・学校・病院・福祉施設・一般家庭等々に供給する。
【００２０】
以上のような構成なので、その水からアルカリ性水溶液に生成される過程を順を追って説明する。
［水(上水、水道水、浄水)から生成水の流れ（上導入から生成生成水取出し）］
導入口２８２より注水された水道水等の水Ａは、外ケース２１の内周壁部２３とカセット部３の筒状部３３の外周壁部３３６で形成する通水回廊Ｄを通りカセット部３の底部３２に至る。カセット部３の底部３２（底部３２にでなくとも底部近傍の側面下部でもよい。）に開口した通水孔３２１よりカセット部３内の下部フィルター８１及び通水孔５５を設けた載置板５１を通り生成室Ｘに入る。
載置板５の通水孔５５は、垂直方向或いは円周に沿って斜行しており、この孔を水が通過するとき乱流を起こすので（なお、図では斜行する角度は同じにしているが、夫々の孔の角度は異なるようにしても良い。）、生成室Ｘ内の水酸化カルシウム粉Ｃと流入した上水の反応を促進させ、アルカリ性である水酸化カルシウム水溶液のアルカリ性水溶液Ｂ１が生成される。
【００２１】
生成された水酸化カルシウムのアルカリ性水溶液Ｂ１は、載置板５２と押え板７２に挟まれたフィルター８２）を通り生成室Ｙに流入する。この載置板５２と押え板７２の通水孔５５,７５も垂直方向(円周方向)に角度を有しており、水酸化カルシウム水溶液Ｂ１は乱流によって、新たに生成室Ｙ内の新たな水酸化カルシウム粉Ｃと接触反応し、より高い濃度のまたは飽和したアルカリ性水溶液Ｂ２となる。さらに、生成された水酸化カルシウム水溶液Ｂ２は、載置板５３と押え板７３に挟まれたフィルター８３）を通り生成室Ｚに流入する。
生成室Ｚでも、生成室Ｘ,Ｙと同様に、載置板５３と押え板７３の通水孔５５,７５も垂直方向(円周方向)に角度を有しており、乱流した水酸化カルシウム水溶液Ｂ２は生成室Ｚの新たな水酸化カルシウム粉Ｃと接触反応し、飽和したアルカリ性水溶液Ｂ３が生成される。このアルカリ性(飽和)水溶液Ｂ３は、載置板５４と押え板７４に挟まれたフィルター８４を通り、開口部３４２から排出口２８４へと押し出される。
【００２２】
ここで、各生成室Ｘ,Ｙ,Ｚの原材料の水酸化カルシウム粉Ｃは、カセット部３内に満たされた水中に在ることから、大気中の二酸化炭素と反応し炭酸カルシウムに戻帰することはない。このアルカリ性(飽和)水溶液と付随する水Ａは、夫々の調整栓４３,４４を有し、それぞれの調整栓４３,４４で水量を調整し、ＰＨメータの検出値に基づいて、所望のＰＨ値に調整され、調整されたアルカリ性(飽和)水溶液Ｂ４となってホース２８６から必要箇所に供給される。
本実施例は、以上のような構成であるので、ＰＨ調整部をＰＨメータの検出値によってアルカリ性水溶液調整栓と上水調整栓とを自動制御装置(図示せず)によって自動的にＰＨに所定の値に調整して供給する構成を用いてもよい。
【００２３】
本実施例によれば、原料として、水酸化カルシウム粉Ｃのみを使用するので、取り扱いの安全性が高く、直接触れたり飛散せず周囲の空気環境を汚すことはなく、原料の水酸化カルシウムは 食品添加物として承認されており、人体への影響は極めて少なく、アルカリ性水溶液生成時に水に溶解・反応する時に 高熱を発したり有毒ガスを発生することもない。
また、水酸化カルシウム粉を収納するカセット部は前記本体２に対して着脱自在で、内部は複数の通水孔を有する載置板も着脱自在に複数段を設けているので、使用状態でアルカリ性(飽和)水溶液生成の交換カセット部３であるカセット部３の内、それぞれの残留粉体が少量になった場合、水酸化カルシウム粉Ｃのみが入ったカセット部３を取り換えることで、継続的に生成を行うことが出来る。又、本体２および外ケース２１内の清掃及びカセット部３内の清掃は、各部品を取り外すことが容易であり、安全かつ容易に清掃することができる。
また、カセット部５は、本体蓋部２４と外ケース２１の内側底部２２とで上下から挟持するようにして着脱自在としたので、極めて簡単に取り替えることができる。 
【００２４】
また、水酸化カルシウム粉を収納するカセット部は前記本体に対して着脱自在であるが、内部の複数の通水孔を有する載置板も着脱自在に複数段設けているが、簡単に原料の水酸化カルシウムを取り替えることができる。
なお、載置板５と押え板７の係止機構により、カセット部３の内部の水酸化カルシウム粉Ｃを詰めた袋部６及びフィルター８を取り替えることができ、カセット部３をリサイクルすることができる。
さらに、消耗する水酸化カルシウム粉Ｃの量は、その粉体の水に対する飽和率と生成量により試算することができ、生成されたアルカリ性(飽和)水溶液Ｂ３はアルカリ度が極めて高いことから、使用目的に合ったＰＨ値に希釈して使用することができる。
生成されたアルカリ性(飽和)水溶液は、抗菌能力・消臭能力・洗浄能力を複合した機能をもつ水であり、農水産業・工業・サービス業・学校・病院・福祉施設・一般家庭等々に広く活用できる。
【００２５】
なお、本発明の実施例では、水酸化カルシウム粉Ｃのみを使用することが重要であり、酸化カルシウム(CaO)等を使用すると、アルカリ性水溶液の生成の際に、極めて高熱を発生し、溶液が膨張したり、可燃物を燃焼させる危険があり、人体と触れると炎症が生じたり呼吸困難になる場合があるので、酸化カルシウム(CaO)等を排除して水酸化カルシウム粉Ｃのみを使用し、かつ、この粉末が拡散しないように袋詰めにすることが極めて重要である。
なお、本発明の特徴を損なうものでなければ、上記の実施例に限定されるものでないことは勿論である。
【符号の説明】
【００２６】
Ａ・・水(上水、水道水、浄水)、
Ｂ,Ｂ１,Ｂ２,Ｂ３,Ｂ４・・アルカリ性(飽和)水溶液(水酸化カルシウム水溶液)、
Ｃ・・水酸化カルシウム粉、Ｄ・・通水回廊、
Ｘ,Ｙ,Ｚ・・（アルカリ性(飽和)水溶液）生成室、
１ ・・アルカリ水溶液生成器、
２・・本体、２１・・外ケース、２１１・・雌ネジ部、２２・・内側底部、
２３・・内周壁部、２４・・本体蓋部、２４１・・雄ネジ部、２４２・・外周部、
２５・・通水路、２６・・輪状凸部、２７・・嵌合輪状溝、
２８・・接続部材、２８１,２８２・・導入口、２８３,２８４・・排出口、
２８５,２８６・・ホース、
３・・カセット部、３２・・底部、３２１・・通水孔、
３３・・筒状部、３３１・・内周壁部、３３２,３３３,３３４・・係止部、
３３５・・雌ネジ部、３３６・・外周壁部、
３４・・カセット蓋部、３４１・・雄ネジ部、３４２・・開口部、
３４３・・輪状凹部、３４４・・防水Ｏリング、
３５・・防水Ｏリング、
３７・・隙間形成嵌合輪、３７１・・先端部、
４・・ＰＨ調整部、４１・・水供給通路、４２・・アルカリ性水溶液の供給通路、
４３,４４・・調整栓、４５・・合流通路、４６・・ＰＨメータ、
４７・・排出口、
５、５１,５２,５３,５４・・載置板、５５・・通水孔、
５６・・切欠部、
６・・袋部、
７,７２,７３,７４・・押え板、７５・・通水孔、
８,８１,８２,８３,８４・・フィルター
【図１】
2015157240.tif 000003
【図２】
2015157240.tif 000004